(57)【要約】      （修正有）【課題】スマートフォンを用いて、スマートテレビを制御するためのスマートテレビ制御装置及びその方法を提供する。【解決手段】スマートテレビ制御装置は、スマートテレビを用いるユーザ別に携帯しているスマートフォンのユーザの映像を検知するカメラ及びユーザの物理的接触及び動きを検知する少なくともいずれかのセンサ情報、及びユーザの識別子を含むデジタル情報信号をユーザの所望する制御動作指示として無線通信を介してスマートテレビに送信する。スマートテレビは、ユーザの所望する制御動作指示信号を受信して認識及び処理することで、スマートテレビの動作を制御する。【選択図】図１
2014087048.tif 000002
【特許請求の範囲】
【請求項１】
ユーザの映像を検知するカメラ及び前記ユーザの物理的接触及び動きを検知するセンサを含むスマートテレビ制御装置であって、
前記カメラから前記映像を収集してユーザ映像信号を生成する映像収集部と、
前記センサから前記物理的接触及び動きを収集してユーザモーション信号を生成するセンサ情報収集部と、
前記ユーザ映像信号及びユーザモーション信号のうち少なくとも何れかを前記ユーザの識別子を含むデジタル情報信号として生成する信号処理部と、
前記デジタル情報信号をスマートテレビに送る信号転送部と
を含むスマートテレビ制御装置。
【請求項２】
前記識別子は、前記携帯用スマート機器のシリアル番号及び電話番号のうち少なくとも何れかを含むことを特徴とする請求項１に記載のスマートテレビ制御装置。
【請求項３】
ユーザ映像信号及びユーザモーション信号のうち少なくとも何れかとユーザの識別子を含むデジタル情報信号を受信する信号受信部と、
前記デジタル情報信号によって映像処理モジュール及びモーション処理モジュールのうち何れかを呼び出す情報処理部と、
前記映像処理モジュール及び前記モーション処理モジュールのうち、前記情報処理部から選択された何れか１つを実行させ、制御信号を生成する認識処理部と、
前記制御信号によってスマートテレビの動作を制御するテレビ制御部と
を含むスマートテレビ。
【請求項４】
前記情報処理部は、
前記識別子によって前記ユーザを検証することを特徴とする請求項3に記載のスマートテレビ。
【請求項５】
前記識別子別に前記ユーザ映像信号及び前記ユーザモーション信号に対応するデータを格納する情報格納部を更に含むことを特徴とする請求項3に記載のスマートテレビ。
【請求項６】
ユーザの映像を検知するカメラ及び前記ユーザの物理的接触及び動きを検知するセンサを含むスマートテレビ制御装置の制御方法であって、
前記カメラから前記映像を収集してユーザ映像信号を生成する段階と、
前記センサから前記物理的接触及び動きを収集してユーザモーション信号を生成する段階と、
前記ユーザ映像信号及びユーザモーション信号のうち少なくとも何れかを前記ユーザの識別子を含むデジタル情報信号として生成する段階と、
前記デジタル情報信号をスマートテレビに送る段階と
を含むスマートテレビ制御装置の制御方法。
【請求項７】
前記識別子は、前記携帯用スマート機器のシリアル番号及び電話番号のうち少なくとも何れかを含むことを特徴とする請求項6に記載のスマートテレビ制御装置の制御方法。
【請求項８】
ユーザ映像信号及びユーザモーション信号のうち少なくとも何れかとユーザの識別子を含むデジタル情報信号を受信する段階と、
前記デジタル情報信号によって映像処理モジュール及びモーション処理モジュールのうち何れかを呼び出す段階と、
前記映像処理モジュール及び前記モーション処理モジュールのうち、前記情報処理部から選択された何れか１つを実行させ、制御信号を生成する段階と、
前記制御信号によってスマートテレビの動作を制御する段階と
を含むスマートテレビの制御方法。
【請求項９】
前記受信されたデジタル情報信号が前記識別子を含むか否かを判断して前記ユーザを検証する段階と,
前記識別子別に前記ユーザ映像信号及び前記ユーザモーション信号に対応するデータを格納する段階と
を更に含むことを特徴とする請求項8に記載のスマートテレビの制御方法。
【発明の詳細な説明】
【技術分野】
【０００１】
本発明は、スマートテレビ、その制御装置及び方法に関する。より詳しくは、本発明は、スマートフォンを用いてスマートテレビを遠隔で制御できるスマートテレビ制御装置及びその方法に関する。
【背景技術】
【０００２】
近年、スマートテレビ（ｓｍａｒｔ ｔｅｌｅｖｉｓｉｏｎ）が生産及び販売されている。スマートテレビは、既存のテレビにインターネットが接続され得るテレビのことをいい、地上波放送、ケーブル放送、衛星放送を楽しめるだけでなく、インターネットの使用も可能である。このようなスマートテレビを制御するために、従来はＲＦ（Ｒａｄｉｏ Ｆｒｅｑｕｅｎｃｙ）方式のリモコンを用いたが、最近はスマートテレビに搭載されたカメラを用いてユーザの動作を認識し、制御する方式などが用いられている。即ち、スマートテレビに３次元立体カメラなどを搭載して手のような人体の特定部位を認識するようにすることで、ユーザの意図を把握してチャネルを変更したり、音量を調節する。
【発明の概要】
【発明が解決しようとする課題】
【０００３】
従来のスマートテレビに搭載されたカメラを用いてユーザの動きを認識することで、スマートテレビを制御する方式は、スマートテレビとユーザ間の距離が遠かったり、スマートテレビが位置する空間の照度が低ければ、ユーザの動きに対する認識率が低下するという問題があった。
【０００４】
また、スマートテレビの前に多数のユーザがいる場合、ユーザに対する認識にエラーが発生する可能性があり、ユーザが過度に動作して自身の意図を表現しなければならないため、ユーザに不便を強いるという問題があった。
【０００５】
そこで、本発明は上記事情に鑑みてなされたものであって、その目的は、ユーザそれぞれが持っているスマートフォンを用いてユーザの認識エラーや過度な動作を取る必要なしにスマートテレビを制御するためのスマートテレビ制御装置及びその方法を提供する。
【課題を解決するための手段】
【０００６】
前述した本発明は、ユーザの映像を検知するカメラ及び前記ユーザの物理的接触及び動きを検知するセンサを含むスマートテレビ制御装置であって、前記カメラから前記映像を収集してユーザ映像信号を生成する映像収集部と、前記センサから前記物理的接触及び動きを収集してユーザモーション信号を生成するセンサ情報収集部と、前記ユーザ映像信号及びユーザモーション信号のうち少なくとも何れかを前記ユーザの識別子を含むデジタル情報信号として生成する信号処理部及び前記デジタル情報信号をスマートテレビに送る信号転送部とを含む。
【０００７】
そして、前記映像収集部及び前記センサ情報収集部は、前記ユーザの携帯用スマート機器にインストールされたアプリケーションを用いて実現することを特徴とする。そして、前記識別子は、前記携帯用スマート機器のシリアル番号及び電話番号のうち少なくとも何れかを含むことを特徴とする。
【０００８】
また、本発明は、スマートテレビであって、ユーザ映像信号及びユーザモーション信号のうち少なくとも何れかとユーザの識別子を含むデジタル情報信号を受信する信号受信部と、前記デジタル情報信号によって映像処理モジュール及びモーション処理モジュールのうち何れかを呼び出す情報処理部と、前記映像処理モジュール及び前記モーション処理モジュールのうち、前記情報処理部から選択された何れか１つを実行させ、制御信号を生成する認識処理部及び、前記制御信号によってスマートテレビの動作を制御するテレビ制御部とを含む。
【０００９】
そして、前記情報処理部は、前記識別子によって前記ユーザを検証することを特徴とする。また、前記スマートテレビは、前記識別子別に前記ユーザ映像信号及び前記ユーザモーション信号に対応するデータを格納する情報格納部を更に含むことを特徴とする。
【００１０】
そして、本発明は、ユーザの映像を検知するカメラ及び前記ユーザの物理的接触及び動きを検知するセンサを含むスマートテレビ制御装置の制御方法であって、前記カメラから前記映像を収集してユーザ映像信号を生成する段階と、前記センサから前記物理的接触及び動きを収集してユーザモーション信号を生成する段階と、前記ユーザ映像信号及びユーザモーション信号のうち少なくとも何れかを前記ユーザの識別子を含むデジタル情報信号として生成する段階及び前記デジタル情報信号をスマートテレビに送る段階とを含む。
【００１１】
そして、前記ユーザ映像信号及び前記ユーザモーション信号を生成する段階は、前記ユーザの携帯用スマート機器にインストールされたアプリケーションを実行させて生成することを特徴とする。前記識別子は、前記携帯用スマート機器のシリアル番号及び電話番号のうち少なくとも何れかを含むことを特徴とする。
【００１２】
そして、本発明は、スマートテレビの制御方法であって、ユーザ映像信号及びユーザモーション信号のうち少なくとも何れかとユーザの識別子を含むデジタル情報信号を受信する段階と、前記デジタル情報信号によって映像処理モジュール及びモーション処理モジュールのうち何れかを呼び出す段階と、前記映像処理モジュール及び前記モーション処理モジュールのうち、前記情報処理部から選択された何れか１つを実行させ、制御信号を生成する段階及び、前記制御信号によってスマートテレビの動作を制御する段階を含む。そして、前記受信されたデジタル情報信号が前記識別子を含むか否かを判断して前記ユーザを検証する段階を更に含むことを特徴とし、前記識別子別に前記ユーザ映像信号及び前記ユーザモーション信号に対応するデータを格納する段階を更に含むことを特徴とする。
【発明の効果】
【００１３】
本発明によれば、スマートテレビ、その制御装置及び方法において、スマートテレビを用いるユーザ別に携帯しているスマートフォンのカメラやセンサなどを通じてユーザの所望する制御動作を伝達し、スマートフォンとスマートテレビ間の通信を通じてユーザの所望する制御動作をスマートテレビが伝達を受けて認識及び処理することで、スマートテレビとユーザ間の距離又はスマートテレビが位置する空間の照度と関係なく、スマートテレビを制御できるという効果を奏する。
【００１４】
また、本発明によれば、スマートフォンを用いるユーザの固有識別子をスマートテレビに共に伝達することによって、スマートテレビを多数のユーザが用いる場合にも、ユーザが正確に認識でき、スマートテレビに３次元立体カメラなどを通じてユーザの動作を認識する必要なしにスマートフォンの簡単な操作だけで、ユーザの所望する制御動作を認識させることができるため、ユーザが感じる不便を軽減させることができるという効果を奏する。
【図面の簡単な説明】
【００１５】
【図１】本発明の実施形態によるスマートテレビ及びその制御装置を示す構成図である。
【図２】本発明の実施形態によるスマートテレビ及びその制御装置の細部構成を示すブロック図である。
【発明を実施するための形態】
【００１６】
後述する本発明に関する詳細な説明は、本発明が実施され得る特定の実施形態を例として示す添付の図面を参照する。これらの実施形態は、当業者が本発明を実施できるのに十分なように詳細に説明される。本発明の多様な実施形態は互いに異なるが、相互排他的である必要はないことが理解されるべきである。例えば、ここに記載されている特定の形状、構造及び特性は、一実施形態と関連して本発明の精神及び範囲から逸脱せず、他の実施形態で実現され得る。また、それぞれの開示された実施形態内の個別構成要素の位置又は配置は、本発明の精神及び範囲から逸脱することなく、変更され得ることが理解されるべきである。従って、後述する詳細な説明は、限定的な意味として把握しようとするものではなく、本発明の範囲は、適切に説明されるのであれば、それらの請求項が主張するものと均等な全ての範囲と共に添付された請求項によってのみ限定される。図面における類似の参照符号は、多様な側面にわたって同一又は類似の機能を示す。
【００１７】
以下、本発明の属する技術分野において通常の知識を有する者が本発明を容易に実施できるようにするために、本発明の好適な実施形態について添付の図面を参照して詳細に説明する。
【００１８】
図１は、本発明の実施形態によるスマートテレビ及びその制御装置を示す構成図である。
【００１９】
図１を参照すれば、本発明のスマートテレビ制御装置１００は、スマートフォンを含んでスマートテレビ２００と無線通信を行う。本発明の実施形態では、スマートテレビ制御装置１００がスマートフォンであることを例に挙げて説明する。本発明はこれに限定されず、ユーザ個人が所有する他の携帯用スマート機器を含むことができる。
【００２０】
スマートフォン１００は、ユーザのタッチを検知するタッチセンサ、ユーザの動作を検知する加速度センサ又はジャイロセンサ、カメラ及びその他センサなどを含む。スマートフォン１００は、ユーザによりテレビ制御用アプリケーションがインストールされ、スマートフォン１００は、テレビ制御用アプリケーションを通じて複数のセンサ及びカメラからユーザ情報を収集してデジタル情報信号に変換し、変換されたデジタル情報信号をスマートテレビ２００に転送制御する。ここで、ユーザ情報は、カメラを通じて認識されたユーザの手動作情報、タッチセンサ、加速度センサ、ジャイロセンサなどから認識されたユーザの物理的接触情報及び動き情報などを含むことができる。そして、ユーザの物理的接触情報は、ユーザがタッチを通じたスライディング方式でチャネルや音響を調節したり、ユーザがキーボタンなどを通じて直接チャネルや音響を入力して得たチャネルや音響調節情報を含むことができる。また、本発明の実施形態によるユーザ情報は、ユーザの固有識別子、ユーザが設定した好きなチャネル、ボリュームの大きさなどを含むことができる。ここで、ユーザの固有識別子は、スマートフォン１００のシリアル番号又は電話番号などが含まれ得る。
【００２１】
そして、スマートテレビ２００は、スマートフォン１００と無線通信を行うためのアンテナ及び無線通信モジュールを含む。ここで、無線通信方式は、ワイファイ（ｗｉ-ｆｉ）、ブルートゥース（Ｂｌｕｅｔｏｏｔｈ）などを含むことができる。そして、無線通信モジュールは、スマートフォン１００と互換可能な機器であることが好ましい。スマートテレビ２００は、スマートフォン１００からデジタル情報信号の伝達を受けてチャネルや音響が調節される。
【００２２】
図２は、本発明の実施形態によるスマートテレビ及びその制御装置の細部構成を示すブロック図である。
【００２３】
図２を参照すれば、本発明のスマートフォン１００は、映像収集部１１０、センサ情報収集部１２０、信号処理部１３０及び信号転送部１４０を含む。ここで、映像収集部１１０は、カメラからユーザの映像を収集してユーザ映像信号を生成する。センサ情報収集部１２０は、タッチセンサ、ジャイロセンサ、加速度センサなどからユーザの動作を収集してユーザモーション信号を生成する。映像収集部１１０は、収集された映像のノイズを除去するフィルタを含んで映像の鮮明度を向上させることができる。
【００２４】
本発明の実施形態による映像収集部１１０及びセンサ情報収集部１２０は、テレビ制御用アプリケーションを通じて実現され得る。例えば、映像収集部１１０は、映像収集用アプリケーションを通じて実現され、センサ情報収集部１２０は、動作収集用アプリケーションを通じて実現され得る。本発明は、これに限定されるものではなく、本発明の映像収集用アプリケーション及び動作収集用アプリケーションは、１つのアプリケーション内で実現されてもよい。
【００２５】
信号処理部１３０は、ユーザ映像信号及びユーザモーション信号のうち少なくとも何れかをデジタル信号に変換してデジタル情報信号を生成する。ここで、デジタル情報信号は、ユーザの識別子を含んでいることが好ましい。そして、信号転送部１４０は、アンテナ（図示せず）を含み、スマートテレビ２００と無線通信を行ってジタル情報信号をスマートテレビ２００に送る。
【００２６】
一方、本発明のスマートテレビ２００は、信号受信部２１０、情報処理部２２０、情報格納部２３０、認識処理部２４０及びテレビ制御部２５０を含む。ここで、信号受信部２１０は、アンテナ（図示せず）を含み、スマートフォン１００と無線通信を行ってデジタル情報信号を受信する。
【００２７】
そして、情報処理部２２０は、伝達されたデジタル情報信号にユーザの識別子が含まれているか否かを判断して区別可能なユーザの要請であるかを検証し、該当デジタル情報信号がユーザ映像信号か、ユーザモーション信号かによって認識処理部２４０から映像処理モジュール及びモーション処理モジュールを呼び出す。また、情報処理部２２０は、ユーザ映像信号及びユーザモーション信号をそれぞれユーザの識別子別に区分して情報格納部２３０に格納する。ここで、情報格納部２３０には、該当ユーザがスマートテレビ２００を制御する過程で繰り返して学習させたパターンと各学習パターンに対応するテレビ制御方式が含まれることができる。
【００２８】
認識処理部２４０は、ユーザ映像信号を認識及び処理する映像処理モジュール及びユーザモーション信号を認識及び処理するモーション処理モジュールを含む。そして、認識処理部２４０は、情報処理部２２０の呼び出しによって映像処理モジュール及びモーション処理モジュールのうち少なくとも１つを実行させて制御信号を生成する。ここで、映像処理モジュール及びモーション処理モジュールは、情報格納部２３０にユーザの識別子別に格納されたユーザ映像信号及びユーザモーション信号を用いて制御信号を生成する。
【００２９】
そして、テレビ制御部２５０は、認識処理部２４０から制御信号の伝達を受けてチャネルや音響などを制御する。
【００３０】
以下、本発明の実施形態によるスマートテレビの制御方法を説明すれば、以下の通りである。
【００３１】
まず、ユーザがスマートフォン１００の映像収集用アプリケーションを実行させる場合を例に挙げて説明する。ユーザが映像収集用アプリケーションを実行させれば、映像収集部１１０は、カメラを通じてユーザの映像を収集してユーザ映像信号を生成する。例えば、ユーザは、予め定義された手の動作を通じてスマートテレビ２００のチャネルや音響を調節できる。
【００３２】
その次に、信号処理部１３０は、映像収集部１１０からユーザ映像信号の伝達を受けてデジタル信号に変換してデジタル情報信号を生成する。このとき、デジタル情報信号は、スマートフォン１００のシリアル番号又は電話番号などのユーザ識別子を含む。すると、信号転送部１４０は、スマートテレビ２００にデジタル情報信号を送る。
【００３３】
スマートテレビ２００は、信号受信部２１０を通じてスマートフォン１００からデジタル情報信号を受信する。その後、情報処理部２２０は、受信されたデジタル情報信号がユーザの識別子で区分可能な情報か否かを判断する。また、情報処理部２２０は、受信されたデジタル情報信号がユーザ映像信号か、ユーザモーション信号かを判断する。判断の結果、受信されたデジタル情報信号がユーザの識別子を含み、ユーザ映像信号である場合、情報処理部２２０は、認識処理部２４０から映像処理モジュールを呼び出し、該当ユーザの識別子とユーザ映像信号に対応するデータを情報格納部２３０に格納する。
【００３４】
その次に、認識処理部２４０は、映像処理モジュールを通じてユーザ映像信号を分析してユーザが要求する制御動作に対応する制御信号を生成する。例えば、ユーザがチャネルを変更する制御を要求した場合、認識処理部２４０は、チャネル変更に対応する制御信号を生成する。すると、テレビ制御部２５０は、生成された制御信号によってスマートテレビ２００の動作を制御する。
【００３５】
これと同様に、ユーザがスマートフォン１００の動作収集用アプリケーションを実行させる場合、センサ情報収集部１２０がユーザモーション信号を生成する。その後、信号処理部１３０は、ユーザモーション信号をデジタル信号に変換してデジタル情報信号を生成する。その後の過程は、映像収集用アプリケーションを実行させる場合と同一であり、但し、情報処理部２２０が認識処理部２４０からモーション処理モジュールを呼び出す過程のみ異なる。
【００３６】
以上で説明した通り、本発明の実施形態によるスマートテレビ、その制御装置及び方法は、スマートテレビ２００を用いるユーザ別に携帯しているスマートフォン１００のカメラやセンサなどを通じてユーザの所望する制御動作を伝達し、スマートフォン１００とスマートテレビ２００間の通信を通じてユーザの所望する制御動作をスマートテレビ２００が伝達を受けて認識及び処理することによって、スマートテレビ２００とユーザ間の距離又はスマートテレビ２００が位置する空間の照度と関係なく、スマートテレビ２００を制御できる。
【００３７】
また、本発明は、スマートフォン１００を用いるユーザの固有識別子をスマートテレビ２００に共に伝達することで、スマートテレビ２００を多数のユーザが用いる場合にも、ユーザが正確に認識できるようにし、スマートテレビ２００に３次元立体カメラなどを通じてユーザの動作を認識する必要なしにスマートフォン１００の簡単な操作だけで、ユーザの所望する制御動作を認識させることができ、ユーザが感じる不便を軽減させることができる。
【００３８】
以上、本発明が具体的な構成要素などのような特定の事項と限定された実施形態及び図面により説明されたが、これは、本発明のより全般的な理解を促進するために提供されたものに過ぎず、本発明が前記実施形態に限定されるものではなく、本発明の属する技術分野において通常の知識を有する者であれば、このような記載から多様な修正及び変形を試みることができる。
【００３９】
従って、本発明の思想は、前記説明された実施形態に限定されて定められてはならず、後述する特許請求の範囲だけでなく、この特許請求の範囲と均等に又は等価的に変形された全てのものは、本発明の思想の範疇に属すると言える。
【符号の説明】
【００４０】
１００    スマートフォン
１１０    映像収集部
１２０    センサ情報収集部
１３０    信号処理部
１４０    信号転送部
２００    スマートテレビ
２１０    信号受信部
２２０    情報処理部
２３０    情報格納部
２４０    認識処理部
２５０    テレビ制御部
【図１】
2014087048.tif 000003
【図２】
2014087048.tif 000004